【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
走行機体（５）の後部に植付部（１６）を連結し、走行機体（５）の側部に畦際から予備苗（Ｎ）を補給する予備苗載せ台（２）を備える移植機において、
前記予備苗載せ台（２）は、走行機体（５）に固定的に設けた固定苗台（２ｍ）と、位置変更可能に設けた第一苗台（２ｆ）を有し、
前記予備苗載せ台（２）の姿勢状態を、
前記第一苗台（２ｆ）を前記固定苗台（２ｍ）前方に並列して走行機体（５）の前端から突出して位置させた姿勢状態と、
第一苗台（２ｆ）を固定苗台（２ｍ）上に並列して位置させた姿勢状態とに姿勢変更可能になすと共に、
前記第一苗台（２ｆ）を固定苗台（２ｍ）上に並列して位置させた姿勢状態において、第一苗台（２ｆ）とその下方の固定苗台（２ｍ）の間に空間（Ｓ）を有し、第一苗台（２ｆ）と固定苗台（２ｍ）に予備苗（Ｎ）を載置できるように構成したことを特徴とする移植機。
【請求項２】
前記第一苗台（２ｆ）を固定苗台（２ｍ）上に並列して位置させた姿勢状態において、前記固定苗台（２ｍ）の後方に第二苗台（２ｂ）を位置させ、第一苗台（２ｆ）の後端部を、第二苗台（２ｂ）の後端部よりも予備苗（Ｎ）一枚分以上前方に位置させたことを特徴とする請求項１に記載の移植機。
【請求項３】
前記固定苗台（２ｍ）の前端部に回動支点（Ｐ２）を設け、第一苗台（２ｆ）を固定苗台（２ｍ）に対して後方回動可能に支持したことを特徴とする請求項１、または請求項２に記載の移植機。
【手続補正２】
【補正対象書類名】明細書
【補正対象項目名】０００３
【補正方法】変更
【補正の内容】
【０００３】
しかし、上述した従来の予備苗載せ台では、ローラコンベアの前後中間部を折畳んで前側のコンベアを後側のコンベアの上に折重ねて機体の前端からの突出量が少なくなる状態にすると、ローラコンベアを折り重ねない状態よりも予備苗載置量が減ると共に、折重ねられた両ローラコンベアの間に収容されている予備苗を取り出すことが困難となって、植付作業時の作業性が著しく低下するといった欠点を有していた。
【手続補正３】
【補正対象書類名】明細書
【補正対象項目名】０００５
【補正方法】変更
【補正の内容】
【０００５】
本発明は、上記課題を解決することを目的として創案したものであって、走行機体の後部に植付部を連結し、走行機体の側部に畦際から予備苗を補給する予備苗載せ台を備える移植機において、
前記予備苗載せ台は、走行機体に固定的に設けた固定苗台と、位置変更可能に設けた第一苗台を有し、
前記予備苗載せ台の姿勢状態を、
前記第一苗台を前記固定苗台前方に並列して走行機体の前端から突出して位置させた姿勢状態と、
第一苗台を固定苗台上に並列して位置させた姿勢状態とに姿勢変更可能になすと共に、
前記第一苗台を固定苗台上に並列して位置させた姿勢状態において、第一苗台とその下方の固定苗台の間に空間を有し、第一苗台と固定苗台に予備苗を載置できるように構成したことを第1の特徴としている。
また、前記第一苗台を固定苗台上に並列して位置させた姿勢状態において、第一苗台の後端部を、第二苗台の後端部よりも予備苗一枚分以上前方に位置させたことを第２の特徴としている。
そして、前記固定苗台の前端部に回動支点を設け、第一苗台を固定苗台に対して後方回動可能に支持したことを第３の特徴としている。
【手続補正４】
【補正対象書類名】明細書
【補正対象項目名】０００６
【補正方法】変更
【補正の内容】
【０００６】
請求項１の発明によれば、第一苗台を固定苗台上に並列して位置させた姿勢状態とした時、第一苗台とその下方の固定苗台に予備苗を載置できるように構成したことによって、機体の前端からの突出量を少なくした状態で行う植付作業時においても、第一苗台上、及び固定苗台上に同じように予備苗を載置でき、機体の前端からの突出量を少なくした状態でも多量の予備苗を載置することができる。
【手続補正５】
【補正対象書類名】明細書
【補正対象項目名】０００７
【補正方法】変更
【補正の内容】
【０００７】
また、請求項２の発明によれば、前記第一苗台を固定苗台上に並列して位置させた姿勢状態において、第一苗台の後端部を、第二苗台の後端部よりも予備苗一枚分以上前方に位置させたことによって、第二苗台及び固定苗台上に載置されている予備苗を順序よく容易に取り出すことができるので、当該予備苗を植付部の苗載せ台へ補給する作業が効率的に行えるようになる。
【手続補正６】
【補正対象書類名】明細書
【補正対象項目名】０００８
【補正方法】変更
【補正の内容】
【０００８】
また、請求項３の発明によれば、前記固定苗台の前端部に回動支点を設け、第一苗台を固定苗台に対して後方回動可能に支持したことによって、予備苗載せ台の姿勢状態を変更するにあたって、第一苗台と第二苗台を折畳むための油圧アクチュエータ等を設ける必要がなく、低コストの予備苗載せ台を構成することができるようになる。
【手続補正７】
【補正対象書類名】明細書
【補正対象項目名】００１１
【補正方法】変更
【補正の内容】
【００１１】
フロントステップ６の左右両側に配設されて畦際から予備苗Ｎ（図３参照）を補給する折畳み式の予備苗載せ台２，２は、走行機体５から外側方に延出されるブラケット２１ａ，２１ｂに取り付けた固定苗台２ｍと、固定苗台２ｍ前方の第一苗台２ｆと、固定苗台２ｍ後方の第二苗台２ｂにより構成されており、当該予備苗載せ台２，２が、第一苗台２ｆを固定苗台２ｍに対して前方に位置させ、且つ、第二苗台２ｂを固定苗台２ｍに対して後方に位置させて、固定苗台２ｍ、第一苗台２ｆ、及び第二苗台２ｂを前後に並列させた展開姿勢状態にある時は、その全体が前高後低の傾斜姿勢になっている。この時、予備苗載せ台２，２を構成する第一苗台２ｆは走行機体５の前端から大きく突出すると共に、第二苗台２ｂは、前記操縦部１１の床面を形成するステップ１２、及び運転席１３の側方に位置し、植付部１６の苗載せ台１７の近傍に位置する機体カバー１４の平坦な苗補給用ステップ１４ａ，１４ａ上まで延出されるようになっている。
【手続補正８】
【補正対象書類名】明細書
【補正対象項目名】００１５
【補正方法】変更
【補正の内容】
【００１５】
また、第一苗台２ｆの後端に突出状に設けられた左右のアーム３０，３０は、固定苗台２ｍの前端に上方に向け突出状に形成した左右のアーム３１，３１に、Ｐ２を回動支点として後方に向けて回動可能に支持されている。そして、図６及び図７に示すように、第一苗台２ｆのみを図中矢印に示す如く後方に回動させて折畳んだ状態（植付作業姿勢状態）で、前記アーム３１，３１の上部に固着したストッパーピン３２，３２と左右のアーム３０，３０が接当すると、当該第一苗台２ｆの下方の固定苗台２ｍ上に予備苗Ｎを載置可能とする空間Ｓが確保されると共に、第一苗台２ｆの上面側Ｕにも予備苗Ｎを載置することができる。即ち、第一苗台２ｆを折畳んで固定苗台２ｍの上方に並列して位置させた植付作業姿勢状態とした時、第一苗台２ｆの上面側Ｕとその下方の固定苗台２ｍ上に予備苗Ｎを載置可能に構成したので、走行機体５の前端からの予備苗載せ台２，２の突出量を少なくした状態で行う植付作業時においても、予備苗載せ台２，２の全長を有効に利用して、当該予備苗載せ台２，２の展開姿勢状態と同量の予備苗Ｎを載置することができる構成になっている。
このように、従来のものは前側のコンベアを後側のコンベアの上に折り重ねて、予備苗載せ台の機体の前端からの突出量が少なくなる状態にすると、ローラコンベアを折り重ねない状態よりも予備苗載置量が減るのに対し、走行機体５の前端からの予備苗載せ台２，
２の突出量を少なくした状態でも、第一苗台２ｆ上、及び固定苗台２ｍ上に同じように予備苗Ｎを載置でき、その分多量の予備苗を載置することができる。
【手続補正９】
【補正対象書類名】明細書
【補正対象項目名】００１８
【補正方法】変更
【補正の内容】
【００１８】
一方、第二苗台２ｂは、固定苗台２ｍの後端、即ち運転操作パネル１０の側方位置のＰ４を回動支点として前方に向けて回動可能に支持されている。更に詳しくは、図８に示すように、第一苗台２ｆを後方に回動させて折畳んだ状態、即ち第一苗台２ｆを固定苗台２ｍの上方に並列して位置させた植付作業姿勢状態とした時に形成される第一苗台２ｆとその下方の固定苗台２ｍとの空間Ｓに、第二苗台２ｂを折畳んで、固定苗台２ｍ、第一苗台２ｆ、及び第二苗台２ｂを上下に並列させることによって、予備苗載せ台２，２を格納姿勢とすることができるようになっており、前記空間Ｓを有効利用して予備苗載せ台２，２の折畳み構造を軽量且つコンパクト化することができる。また第一苗台２ｆと第二苗台２ｂを折畳むための油圧アクチュエータ等を設ける必要がなく、低コストの予備苗載せ台２，２を構成することができるようになる。